(57)【要約】【課題】金属不純物、ハロゲン不純物を低減化させたアルコキシシランの加水分解／縮合組成物で電子材料向けなどに利用可能な組成物、及びそれを塗布、焼成して得られる低誘電率の絶縁膜を提供する。【解決手段】下記式（１）〜（４）からなる一群から選ばれる一以上のアルコキシシラン又はその部分加水分解物の加水分解／縮合反応を、下記式（５）の水酸化トリアルキルメチルアンモニウムを触媒とし、有機溶媒中で行う膜形成用組成物の製造方法を提供する。また、この製造方法を用いて得られた膜形成用組成物、及びこの膜形成用組成物を基板上に塗布、焼成することにより得られる金属不純物、ハロゲン不純物の低減化された低誘電膜を提供する。【化１】2004269693.tif 000007＠００６【選択図】      なし【特許請求の範囲】
【請求項１】
下記式（１）〜（４）からなる一群から選ばれる一以上のアルコキシシラン又はその部分加水分解物を、下記式（５）の水酸化トリアルキルメチルアンモニウムを触媒として有機溶媒中で加水分解縮合反応を行って得られる、ハロゲン不純物含有量１０ｐｐｍ以下でかつホウ素を含む金属不純物含有量１００ｐｐｂ以下である多孔質膜形成用組成物。
【化１】
2004269693.tif 000005
（上式中、Ｚ１とＺ２とＺ３とＺ４とＺ５とＺ６とＺ７とＺ８とＺ９とＺ１０はそれぞれ独立に炭素数１〜６のアルコキシ基を示し、Ｒ１とＲ２とＲ３とＲ４とＲ５とＲ６はそれぞれ独立に置換又は非置換の１価炭化水素基を示し、Ｒ７とＲ８とＲ９はそれぞれ独立に炭素数１〜６のアルキル基を示す。）
【請求項２】
上記水酸化トリアルキルメチルアンモニウムが、Ｒ７とＲ８とＲ９の炭素数の合計として４〜１５を有することを特徴とする請求項１に記載の多孔質膜形成用組成物。
【請求項３】
上記水酸化トリアルキルメチルアンモニウムが、トリアルキルアミンと炭酸ジメチルの反応により得られたものであることを特徴とする請求項１又は請求項２に記載の多孔質膜形成用組成物。
【請求項４】
上記アルコキシシラン又はその部分加水分解物の加水分解縮合反応が、重量平均分子量１０，０００〜１，０００，０００の生成物を与える請求項１乃至３のいずれかに記載の多孔質膜形成用組成物。
【請求項５】
下記式（１）〜（４）からなる一群から選ばれる一以上のアルコキシシラン又はその部分加水分解物の加水分解反応を、トリアルキルアミンと炭酸ジメチルの反応により得られる下記式（５）の水酸化トリアルキルメチルアンモニウムを触媒とし、有機溶媒中で行う多孔質膜形成用組成物の製造方法。
【請求項６】
請求項１乃至４のいずれかに記載の多孔質膜形成用組成物を塗布する塗布工程と、その後の乾燥工程と、熱処理による多孔質化工程とを含むことを特徴とする多孔質膜の製造方法。
【請求項７】
請求項１乃至４のいずれかに記載の多孔質膜形成用組成物を用いて形成されることを特徴とする多孔質膜。
【請求項８】
請求項１乃至４のいずれかに記載の多孔質膜形成用組成物を用いて得られることを特徴とする層間絶縁膜。
【請求項９】
下記式（１）〜（４）からなる一群から選ばれる一以上のアルコキシシラン又はその部分加水分解物を、下記式（５）の水酸化トリアルキルメチルアンモニウムを触媒として有機溶媒中で加水分解縮合反応を行って得られる、ハロゲン不純物含有量１０ｐｐｍ以下でかつホウ素を含む金属不純物含有量１００ｐｐｂ以下である多孔質膜形成用組成物を用いて形成された多孔質膜を内部に有することを特徴とする半導体装置。
【化２】
2004269693.tif 000006
（上式中、Ｚ１とＺ２とＺ３とＺ４とＺ５とＺ６とＺ７とＺ８とＺ９とＺ１０はそれぞれ独立に炭素数１〜６のアルコキシ基を示し、Ｒ１とＲ２とＲ３とＲ４とＲ５とＲ６はそれぞれ独立に置換又は非置換の１価炭化水素基を示し、Ｒ７とＲ８とＲ９はそれぞれ独立に炭素数１〜６のアルキル基を示す。）
【請求項１０】
上記水酸化トリアルキルメチルアンモニウムが、Ｒ７とＲ８とＲ９の炭素数の合計として４〜１５を有することを特徴とする請求項９に記載の半導体装置。
【請求項１１】
上記水酸化トリアルキルメチルアンモニウムが、トリアルキルアミンと炭酸ジメチルの反応により得られたものであることを特徴とする請求項９又は請求項１０に記載の半導体装置。
【請求項１２】
上記アルコキシシラン又はその部分加水分解物の加水分解縮合反応が、重量平均分子量１０，０００〜１，０００，０００の生成物を与える請求項９乃至１１のいずれかに記載の半導体装置。
【請求項１３】
上記多孔質膜が、多層配線の同一層の金属配線間絶縁膜、又は、上下金属配線層の層間絶縁膜に存在することを特徴とする請求項９乃至１３のいずれかに記載の半導体装置。
【発明の詳細な説明】
【０００１】
【発明の属する技術分野】
本発明は、低誘電率で、機械強度に優れ、不純物含有量を低減した多孔質膜を形成しうる膜形成用組成物及びその製造方法、多孔質膜の形成方法及び形成された多孔質膜、並びに多孔質膜を内蔵する半導体装置に関する。
【０００２】
【従来の技術】
半導体集積回路の形成においては、その高集積化に伴い、金属配線間の寄生容量である配線間容量の増加に起因する配線遅延時間の増大が半導体回路の高性能化の妨げになっている。配線遅延時間は、金属配線の電気抵抗と配線間の静電容量の積に比例する所謂ＲＣ遅延と呼ばれるものである。この配線遅延時間を小さくするためには、金属配線の抵抗を小さくするか又は配線間の容量を小さくすることが必要である。
このようにして配線金属の抵抗及び配線間容量を小さくする事によって、半導体装置は高集積化しても配線遅延を引き起こさなくなるため、半導体装置サイズの縮小と高速化が可能になり、さらに消費電力も小さく抑えることが可能になる。
【０００３】
金属配線の抵抗を小さくするために、最近では従来適用されてきたアルミニウムによる配線に対し、金属銅を配線として用いる多層配線構造が採用されるようになってきた。しかしこれのみでは高性能化に限界があり、配線間容量の低減が半導体のさらなる高性能化にとって急務となってきている。
【０００４】
配線間容量を小さくする方法としては、金属配線同士の間に形成される層間絶縁膜の比誘電率を低くすることが考えられる。このような低比誘電率の絶縁膜としては従来用いられてきたシリコン酸化膜に代えて多孔質膜の検討が行われており、特に比誘電率２．０以下の材料としては多孔質膜が唯一実用的な膜と言える。この多孔質膜を形成する材料の一つに、アルコキシランの加水分解濃縮により製造される多孔質膜形成用組成物がある。
【０００５】
【従来の技術】
従来よりアルコキシシランの加水分解縮合物は、その高い熱及び化学的安定性から電子材料用の絶縁材料として広く使用されている。これらの製造は、通常、有機溶媒中で酸あるいはアルカリ触媒存在下アルコキシシランと水を反応させるもので、原料に精製したアルコキシシラン類を用いることで、金属不純物の混入を防止し、電子材料用途向けの高純度品を得ている。しかしながら、近年では絶縁材料といえども高機能化が求められ、特に低誘電率の絶縁材料は微細な配線において遅延を起こしにくいことから、その実用化が強く求められている。低誘電率化するには、絶縁膜中に空孔を導入することが効果的であるが、このような空孔の導入は機械強度の低下とトレードオフの関係になり、低誘電率、高強度を両立するような絶縁材料が強く求められている。
【０００６】
一方、アルコキシシラン類の加水分解縮合反応時に、強塩基性の触媒を使用することにより、高硬度のシリカ質固体を得る方法は知られており、強塩基触媒で加水分解縮合反応を行うことを特徴とする低誘電率絶縁材料についての報告が有る。しかしながら、従来一般に入手可能な強塩基触媒である水酸化テトラアルキルアンモニウムは、三級アミンとハロゲン化アルキルの反応の後、アルカリ金属でハロゲンを除く工程で製造されているため、反応副生物のアルカリハロゲン化物が混入し、金属不純物、ハロゲン不純物が多く含まれており、このまま使用すると、アルコキシシラン加水分解縮合組成物中に、金属不純物、ハロゲン不純物が混入し、これらの除去に多くの工程を割く必要があった。
【０００７】
以上のように、従来の材料では低誘電率化と強機械強度化を両立できないという問題を有していた。また、製造された多孔質膜形成用組成物に金属不純物及びハロゲン不純物が多く含まれてしまうという問題を有していた。さらに、従来の多孔質膜を半導体装置の多層配線に絶縁膜として組み込む場合に、半導体装置製造に必要な機械強度を実現して使用する場合低誘電率が得られず、逆に低誘電率膜を実現して使用する場合十分な機械強度が得られないと言う問題を有していた。
それ故、半導体装置の多層配線に絶縁膜として使用する多孔質膜の比誘電率が大きいと半導体装置の多層配線におけるＲＣ遅延の増大をもたらし、半導体装置の性能（高速、低消費電力）の向上が図れないという大きな問題があった。また、その多孔質膜の機械強度が弱いと半導体装置の信頼性が低下するという問題があった。
【０００８】
【特許文献１】
特開２０００−１９９０３号公報
【特許文献２】
特公昭６３−１５３５５号公報
【０００９】
【発明が解決しようとする課題】
本発明は、金属不純物、ハロゲン不純物を低減化させたアルコキシシランの加水分解／縮合組成物で電子材料向けなどに利用可能な組成物、及びそれを塗布、焼成して得られる低誘電率の多孔質絶縁膜を提供することを目的とする。また、本発明は、この多孔質絶縁膜を内蔵する高性能かつ高信頼性を備えた半導体装置を提供することを目的とする。
【００１０】
【課題を解決するための手段】
本発明者らは、上記目的を達成するため鋭意検討を重ねた結果、好ましくはトリアルキルアミンと炭酸ジアルキルの反応による四級アンモニウムの炭酸塩を電解して得た水酸化テトラアルキルアンモニウムが、ハロゲン及び金属不純物（ホウ素を含む。）が低減化されており、かつアルコキシシランの加水分解縮合反応において高硬度なシリカ組成物を生成しうる強塩基性触媒として有効であることを見出し、本発明に到った。
【００１１】
本発明は、下記式（１）〜（４）からなる一群から選ばれる一以上のアルコキシシラン、又はその部分加水分解物の加水分解縮合反応を、下記式（５）の水酸化トリアルキルメチルアンモニウムを触媒とし、有機溶媒中で行う膜形成用組成物の製造方法を提供する。
【００１２】
【化３】
2004269693.tif 000002
（上式中、Ｚ１とＺ２とＺ３とＺ４とＺ５とＺ６とＺ７とＺ８とＺ９とＺ１０はそれぞれ独立に炭素数１〜６のアルコキシ基を示し、Ｒ１とＲ２とＲ３とＲ４とＲ５とＲ６はそれぞれ独立に置換又は非置換の１価炭化水素基を示し、Ｒ７とＲ８とＲ９はそれぞれ独立に炭素数１〜６のアルキル基を示す。）
【００１３】
また、本発明は、この製造方法を用いて得られた膜形成用組成物、及びこの膜形成用組成物を基板上に塗布、焼成することにより得られる金属不純物、ハロゲン不純物の低減化された低誘電膜を提供する。
【００１４】
本発明によれば、アルコキシシラン加水分解／縮合組成物を特殊な精製工程を必要とすること無く、電子材料用途に求められるレベルの低い金属不純物、ハロゲン不純物を達成することができる。また、使用上遜色のない機械強度を持つ低誘電率絶縁膜を得ることができる。
【００１５】
本発明の半導体装置は、上記式（１）〜（４）からなる一群から選ばれる一以上のアルコキシシラン又はその部分加水分解物を、上記式（５）の水酸化トリアルキルメチルアンモニウムを触媒として有機溶媒中で加水分解縮合反応を行って得られる、ハロゲン不純物含有量１０ｐｐｍ以下でかつホウ素を含む金属不純物含有量１００ｐｐｂ以下である多孔質膜形成用組成物を用いて形成された多孔質膜を内部に備えている。具体的には、半導体装置の多層配線の絶縁膜として前記多孔質膜が使用されている。
このようにすると、半導体装置の機械強度を確保した上で多孔質膜の吸湿性が低減されるため低誘電率の絶縁膜を内蔵した半導体装置が実現される。絶縁膜の低誘電率化により、多層配線の周囲の寄生容量は低減され、半導体装置の高速動作及び低消費電力動作が達成される。
また、本発明の半導体装置において、多層配線の同一層の金属配線間絶縁膜、又は、上下金属配線層の層間絶縁膜に、多孔質膜が存在することが好ましい。このようにすると、高性能かつ高信頼性を備えた半導体装置が実現される。
【００１６】
【発明の実施の形態】
以下、本発明につきさらに詳しく説明する。
本発明による精製方法は、電子材料向けの絶縁材料として使用される塗布液の精製方法に関する。特に比誘電率の低い多孔質層間絶縁膜用組成物の精製方法に関する。
多孔質シリカ系層間絶縁膜の製造には、微細孔を安定して形成するために、特殊なレジンや溶剤、触媒や添加物が使用されている。この溶剤の選択は、溶解性や焼成膜の物性を得るために、かなり限定されており、中には水と任意な割合で混合する溶液を使用することもあり、その中に含まれる金属やイオン性不純物の除去に困難が伴った。プロピレングリコールモノプロピルエーテルは、特に低誘電率特性と保存安定性に優れた溶媒と報告されているが（特許文献１）、この溶媒は水と任意の割合で混合するために、通常の水洗による精製が困難であった。
【００１７】
そこで、原料からのこのような不純物の混入を最小限にとどめることが必要となってくるが、溶剤や原料のアルコキシシラン類に比べて、触媒である水酸化テトラアルキルアンモニウム中の不純物の除去は通常の蒸留精製ができないために困難であった。
【００１８】
不純物の低減化された水酸化テトラアルキルアンモニウムの製造方法としては、トリアルキルアミンと炭酸ジアルキルの反応物を陽イオン交換膜を隔膜とする電解を行うことにより製造する方法が開発されている（特許文献２）。すなわち、トリアルキルアミンと炭酸ジメチルを反応させ、トリアルキルメチルアンモニウムの炭酸塩を合成し、次いで、陽イオン交換膜を隔膜とする電解槽で上記の塩を電解して水酸化トリアルキルメチルアンモニウムを製造できる。この製造方法によれば、得にメチル基含有の水酸化テトラアルキルアンモニウム化合物を高純度で生成することができる。
【００１９】
本発明は、上記の製造方法による、ハロゲン及び金属不純物の低減化された水酸化テトラアルキルアンモニウム触媒をアルコキシシラン混合物の加水分解縮合触媒として使用することにより、水洗等の煩雑な工程を経ること無く、高純度のアルコキシシラン加水分解／縮合組成物を得ることができ、このものを主成分とする絶縁膜形成用組成物は、基板上に塗布、焼成を行うことにより、低誘電率でありながら実用上十分な機械強度を持つ絶縁膜となりうる。
【００２０】
本発明に用いられる水酸化トリアルキルメチルアンモニウムは、一般式（５）で表される。一般式（５）において、Ｒ７〜Ｒ９は、それぞれ独立に置換又は非置換の１価の炭化水素基を示し、好ましくは、Ｒ７〜Ｒ９の炭素数の合計が４〜１５である。
【００２１】
本発明に用いられる水酸化トリアルキルメチルアンモニウム触媒の例としては、水酸化テトラメチルアンモニウム、水酸化エチルトリメチルアンモニウム、水酸化プロピルトリメチルアンモニウム、水酸化ブチルトリメチルアンモニウム、水酸化ペンチルトリメチルアンモニウム、水酸化ヘキシルトリメチルアンモニウム、水酸化ジエチルジメチルアンモニウム、水酸化ジプロピルジメチルアンモニウム、水酸化ジブチルジメチルアンモニウム、水酸化トリエチルメチルアンモニウム、水酸化トリプロピルメチルアンモニウム、水酸化トリブチルメチルアンモニウム等を挙げることができる。
【００２２】
本発明に用いられるアルコキシシラン類は、一般式（１）で表される１官能シラン類と、一般式（２）で表される２官能シラン類と、一般式（３）で表される３官能シラン類と、一般式（４）で表される４官能シラン類とからなる一群から選ばれる一以上である。
一般式（１）〜（４）において、Ｚ１〜Ｚ１０は、それぞれ独立に炭素数１〜６のアルキル基を示し、好ましくは、メトキシ基、エトキシ基、ｎ−プロポキシ基、ｉ−プロポキシ基等である。
一般式（１）〜（４）において、Ｒ１〜Ｒ６は、それぞれ独立に置換又は非置換の１価の炭化水素基を示し、好ましくは、メチル基、エチル基、ｎ−プロピル基、ｉ−プロピル基、ｎ−ブチル基、フェニル基等である。
【００２３】
本発明に用いられるアルコキシシラン類としては、テトラメトキシシラン、テトラエトキシシラン、テトラプロポキシシラン、テトラブトキシシラン等の４官能シラン類、メチルトリメトキシシラン、メチルトリエトキシシラン、メチルトリプロポキシシラン、メチルトリブトキシシラン、エチルトリメトキシシラン、エチルトリエトキシシラン、エチルトリプロポキシシラン、エチルトリブトキシシラン、プロピルトリメトキシシラン、プロピルトリエトキシシラン、プロピルトリプロポキシシラン、プロピルトリブトキシシラン、ビニルトリメトキシシラン、ビニルトリエトキシシラン、ビニルトリプロポキシシラン、ビニルトリブトキシシラン、フェニルトリメトキシシラン、フェニルトリエトキシシラン、フェニルトリプロポキシシラン、フェニルトリブトキシシラン等の３官能シラン類、ジメチルジメトキシシラン、ジメチルジエトキシシラン、ジエチルジメトキシシラン、ジエチルジエトキシシラン等の２官能シラン類、及びトリメチルメトキシシラン、トリメチルエトキシシラン等の１官能シラン類、及びこれらの混合物、又はこれらの部分加水分解物が挙げられる。
【００２４】
加水分解縮合反応は、例えば有機溶媒と水及び加水分解触媒となる水酸化テトラアルキルアンモニウムの混合液に、アルコキシシラン類又はアルコキシシランの部分加水分解物の混合液を添加することにより行うことができる。
【００２５】
この反応に用いられる有機溶媒としては、メタノール、エタノール、ｎ−プロパノール、ｉ−プロパノール、ｎ−ブタノール、２−ブタノール、ｉｓｏ−ブタノール等のアルコール類、テトラヒドロフラン、ジオキサン、エチレングリコールメチルエーテル、エチレングリコールエチルエーテル、エチレングリコールプロピルエーテル、エチレングリコールブチルエーテル、プロピレングリコールメチルエーテル、プロピレングリコールエチルエーテル、プロピレングリコールプロピルエーテル、プロピレングリコールブチルエーテル等のエーテル類を用いることができる。
【００２６】
有機溶媒と水との混合割合は、好ましくは、有機溶媒／水が１０／９０から９０／１０である。アルコキシシラン又はアルコキシシランの部分加水分解物の混合割合は、好ましくは、完全縮合体換算で全溶媒（有機溶媒と水）に対して０．０１〜２０重量％である。水酸化トリアルキルメチルアンモニウムの混合割合は、好ましくは、アルコキシシラン又はアルコキシシランの部分加水分解物中のケイ素のモル数に対して０．１〜１００００モル％である。
【００２７】
加水分解縮合反応時の反応温度は、０〜１００℃、好ましくは３０〜８０℃、より好ましくは５０〜８０℃である。アルコキシシラン類の添加は一度に行うこともできるが、少量ずつ滴下することが好ましい。滴下時間は、０時間から１０時間である。滴下終了後は加熱熟成を行うことが好ましく、熟成温度は５０〜８０℃、熟成時間は０〜１０時間である。
【００２８】
アルコキシシラン又はその部分加水分解物の加水分解縮合反応の生成物は、ゲルパーミエーションクロマトグラフィー（ＧＰＣ）を用いポリエチレン換算で、重量平均分子量１０，０００〜１，０００，０００であることが好ましい。この範囲であれば、有機溶媒に可溶で、スピン塗布による製造も可能だからである。
【００２９】
この反応によるアルコキシシランンの加水分解縮合物はそのまま、あるいは高沸点溶媒を添加、あるいは溶媒置換を行い、場合によっては添加物、触媒等を添加することにより絶縁膜形成用組成物となる。もちろんさらに高純度化するために水洗等の精製工程を追加することもできる。
【００３０】
本発明による絶縁膜形成用組成物のハロゲン不純物含有量は１０ｐｐｍ以下であり、また金属不純物含有量は全金属合計で１００ｐｐｂ以下であった。
ハロゲン不純物の含有量は、フッ素、塩素、臭素及びヨウ素の合計含有量であり、燃焼法による電量滴定の塩素換算値（重量換算）である。
ホウ素を含む金属不純物の含有量は、Ｌｉ、Ｂ、Ｎａ、Ｍｇ、Ａｌ、Ｋ、Ｃａ、Ｃｒ、Ｍｎ、Ｆｅ、Ｎｉ、Ｃｕ、Ｚｎ、Ｓｎ及びＰｂの合計含有量であり、ＩＣＰ−ＭＳによって分析できる。
【００３１】
この絶縁膜形成用組成物をシリコン基板上にスピン塗布、焼成を行うことにより、低誘電率の絶縁膜を形成することができる。焼成後の絶縁膜の比誘電率は２．７以下で、条件を選択することにより、２．２、あるいは２．０以下の絶縁膜を得ることができる。これらの膜は特に微細な配線間の絶縁材料としての実用化に問題とならないレベルの高い機械強度を示した。更に、これについて詳述する。
【００３２】
これらの膜形成用組成物は、溶質の濃度を制御しかつ適当な回転数を用いてスピン塗布することで、任意の膜厚の薄膜が形成可能になる。実際の膜厚としては、通常０．２〜１μｍ程度の膜厚の薄膜が形成されるがこれに限定されるものではなく、例えば複数回塗布することで更に大きな膜厚の薄膜形成も可能である。この際、希釈に用いる溶媒としては、上記、塗布液用に置換する溶媒と同じものを挙げることが出来る。これらは１種又は２種以上を混合して使用することができる。
希釈の程度としては、粘度や目的とする膜厚等により異なるが、通常、溶媒が５０〜９９重量％、より好ましくは７５〜９５重量％となる量である。
【００３３】
このようにして形成された薄膜は、乾燥工程（通常、半導体プロセスでプリベークと呼ばれる工程）で、好ましくは、５０〜１５０℃に数分加熱することで溶媒を除去する。乾燥工程の後に、塗布膜を硬化させるための加熱工程を設ける。塗布膜を硬化させるための加熱工程では、好ましくは１５０〜５００℃、より好ましくは２００〜４００℃に加熱され、加熱時間は、好ましくは１〜３００分、より好ましくは１〜１００分である。
【００３４】
得られた薄膜は、膜全体に対して機械的強度が大きく、ナノインデンテーションによる測定で硬度として通常１〜１０ＧＰａ、弾性率として５〜５０ＧＰａ程度のものが得られる。これは、通常シリコーンレジン中に熱分解型ポリマーを添加して、これを加熱によって除去し空孔を形成するタイプの多孔質材料では、硬度として０．０５〜２ＧＰａ、弾性率として１．０〜４．０ＧＰａ程度しか得られないことに比較し、極めて機械的強度の大きな薄膜が得られていると言える。
【００３５】
本発明の多孔質膜は、特に半導体集積回路における配線の層間絶縁膜として好ましい。半導体装置は、高集積化しても配線遅延を引き起こさなくするに、配線間容量を小さくすることが必要となる。これを達成するための種々の手段が考えられているが、金属配線同士の間に形成される層間絶縁膜の比誘電率を低くすることもその一つである。本発明の多孔質形成用組成物を用いて層間絶縁膜を製造すると、半導体装置サイズの縮小と高速化が可能になり、さらに消費電力も小さく抑えることが可能になる。
【００３６】
従来は低誘電率化するために膜に空孔を導入し多孔質とした場合、膜を構成する材料の密度が低下するため、膜の機械的な強度が低下してしまうという問題がある。機械的な強度の低下は、半導体装置の強度自体に影響を及ぼすのみならず、製造プロセスにおいて通常用いられる化学的機械研磨のプロセスにおいて充分な強度を有しないために剥離を引き起こすという問題がある。特に、本発明にかかる多孔質膜を半導体の層間絶縁膜として用いる場合には、多孔質膜でありながら大きな機械的強度及び低い比誘電率を有するためにこのような剥離を引き起こさず、高信頼性で高速、しかもサイズの小さな半導体装置を製造することが可能になる。
【００３７】
本発明の多孔質膜は、特に半導体装置における配線の層間絶縁膜として好ましい。半導体装置は、高集積化しても配線遅延を引き起こさなくするには配線容量を小さくすることが必要となる。これを達成するための種々の手段が考えられているが、金属配線同士の間に形成される層間絶縁膜の比誘電率を低くすることもその一つである。
本発明の多孔質膜形成用組成物を用いて層間絶縁膜を製造すると、半導体装置の微細化と高速化が可能になり、さらに消費電力も小さく抑えることができる。
【００３８】
なお、低誘電率化するために膜に空孔を導入し多孔質とした場合、膜を構成する材料の密度が低下するため、膜の機械的な強度が低下してしまうという問題がある。機械的な強度の低下は、半導体装置の強度自体に影響を及ぼすのみならず、製造プロセスにおいて通常用いられる化学的機械研磨のプロセスにおいて充分な強度を有しないために剥離を引き起こすという問題がある。特に、本発明に係る多孔質膜を半導体装置の多層配線における層間絶縁膜として用いる場合には、多孔質膜でありながら大きな機械的強度を有するためにこのような剥離を引き起こさず、製造された半導体装置の信頼性が大幅に改善される。
【００３９】
本発明の半導体装置の実施形態について説明する。図１は、本発明の半導体装置の一例の概略断面図を示す。
図１において、１は基板を示しており、Ｓｉ基板、ＳＯＩ（Ｓｉ・オン・インシュレータ）基板等のＳｉ半導体基板であるが、ＳｉＧｅやＧａＡｓ等々の化合物半導体基板であってもよい。２はコンタクト層の層間絶縁膜である。３、５、７、９、１１、１３、１５及び１７は、配線層の層間絶縁膜である。最下層の配線層の層間絶縁膜３から最上層の配線層の層間絶縁膜１７までの配線層を順に略称でＭ１、Ｍ２、Ｍ３、Ｍ４、Ｍ５、Ｍ６、Ｍ７及びＭ８と呼ぶ。４、６、８、１０、１２、１４及び１６はビア層の層間絶縁膜であり、最下層のビア層の層間絶縁膜４から順に上層に向かって、略称でＶ１、Ｖ２、Ｖ３、Ｖ４、Ｖ５、Ｖ６及びＶ７と呼ぶ。１８と２１〜２４は金属配線を示している。同様に同じ模様の部分は金属配線を示している。１９は、ビアプラグであり、金属により構成される。通常銅配線の場合には銅が用いられる。図中、番号が省略されていてもこれと同じ模様の部分はビアプラグを示している。２０はコンタクトプラグであり、基板１の最上面に形成されたトランジスタ（図示外）のゲートあるいは基板へ接続される。このように、配線層とビア層は交互に積み重なった構成となっており、一般に、多層配線とはＭ１から上層部分のことを指す。通常、Ｍ１〜Ｍ３をローカル配線、Ｍ４とＭ５を中間配線あるいはセミグローバル配線、Ｍ６〜Ｍ８をグローバル配線と呼ぶことが多い。
【００４０】
本発明の半導体装置は、配線層の層間絶縁膜３、５、７、９、１１、１３、１５、１７、もしくは、ビア層の層間絶縁膜４、６、８、１０、１２、１４、１６の少なくとも１以上の層に、本発明の多孔質膜を用いたものである。
例えば、配線層（Ｍ１）の層間絶縁膜３に本発明の多孔質膜を用いている場合、金属配線２１と金属配線２２の間の配線間容量が大きく低減できる。また、ビア層（Ｖ１）の層間絶縁膜４に本発明の多孔質膜を用いている場合、金属配線２３と金属配線２４の間の配線間容量を大きく低減することができる。このように、配線層に本発明の低比誘電率を有する多孔質膜を用いると、同一層の金属配線間容量を大きく低減できる。また、ビア層に本発明の低比誘電率を有する多孔質膜を用いると、上下金属配線の層間容量を大きく低減できる。
したがって、すべての配線層及びビア層に本発明の多孔質膜を用いることにより、配線の寄生容量を大きく低減できる。本発明の多孔質膜を配線の絶縁膜として使用することにより、従来問題となっていた多孔質膜を積層形成して多層配線を形成する際の多孔質膜の吸湿による誘電率の増大も発生しない。その結果、半導体装置の高速動作及び低消費電力動作が実現される。また、本発明の多孔質膜は機械強度が強いため、半導体装置の機械強度が向上し、その結果半導体装置の製造上の歩留まりや半導体装置の信頼性を大きく向上させることができる。
【００４１】
【実施例】
以下に実施例及び比較例を示し、本発明をより詳細に説明するが、本実施例は本発明を制限するものではない。
実施例１
超純水２３７ｇ、エタノール４７１ｇの混合溶液中に多摩化学製の２０重量％水酸化テトラメチルアンモニウム水溶液２１．５ｇを加え、均一に撹拌した。この溶液にメチルトリメトキシシラン４４．９ｇとテトラエトキシシラン６８．６ｇの混合物を滴下した。６０℃で２時間反応させた後マレイン酸水溶液でｐＨ４．３に調整した。プロピレングリコールモノプロピルエーテルを添加し、減圧下でシロキサン濃度が１０重量％となるまで濃縮した。この溶液を０．０５μｍ孔径のテフロン（登録商標）製フィルターでろ過を行い、塗布組成物（１）とした。得られたアルコキシシランの加水分解／縮合物のＧＰＣによる重量平均分子量は約１００，０００であった。
【００４２】
実施例２
実施例１において２０重量％水酸化テトラメチルアンモニウム水溶液２１．５ｇの代わりに、トリエチルアミンと炭酸ジメチルより合成した水酸化トリエチルメチルアンモニウム６．３ｇを使用する以外は同様に行い、塗布組成物（２）を得た。得られたアルコキシシランの加水分解／縮合物のＧＰＣによる重量平均分子量は約１２０，０００であった。
【００４３】
比較例１
実施例１において２０重量％水酸化テトラメチルアンモニウム水溶液２１．５ｇの代わりに、東京化成製２６重量％水酸化テトラメチルアンモニウム水溶液１６．５ｇを使用した以外は同様に行い、塗布組成物（３）を得た。得られたアルコキシシランの加水分解／縮合物のＧＰＣによる重量平均分子量は約１００，０００であった。
【００４４】
得られた塗布組成物中のハロゲン及び金属不純物の含有量を表１に示す。なお、表１において、ハロゲンは燃焼法による電量滴定の塩素換算値であり、金属不純物の分析はＩＣＰ−ＭＳによるものである。
【００４５】
【表１】
2004269693.tif 000003
【００４６】
得られた塗布組成物をシリコン基板上にスピン塗布し、１２０℃２分、２３０℃３分、４２５℃６０分の焼成を行うことにより形成した絶縁膜の比誘電率と機械的強度を表２に示す。表２において、比誘電率は水銀プローブ法により測定され、モジュラス、硬度はナノインデンテーション法により測定された。
【００４７】
【表２】
2004269693.tif 000004
【００４８】
【発明の効果】
本発明により、ハロゲン及び金属不純物の含有量が極めて少ない絶縁膜形成用組成物を得ることができ、この材料を塗布、焼成することにより低誘電率で機械強度の高い絶縁膜を得ることができる。また、本発明の組成物から形成される多孔質膜を多層配線の絶縁膜として使用することにより、高性能かつ高信頼性を有する半導体装置を実現することができる。
【図面の簡単な説明】
【図１】本発明の半導体装置の一例の概略断面図である。
【符号の説明】
１    基板
２    コンタクト層の層間絶縁膜
３    配線層（Ｍ１）の層間絶縁膜
４    ビア層（Ｖ１）の層間絶縁膜
５    配線層（Ｍ２）の層間絶縁膜
６    ビア層（Ｖ２）の層間絶縁膜
７    配線層（Ｍ３）の層間絶縁膜
８    ビア層（Ｖ３）の層間絶縁膜
９    配線層（Ｍ４）の層間絶縁膜
１０  ビア層（Ｖ４）の層間絶縁膜
１１  配線層（Ｍ５）の層間絶縁膜
１２  ビア層（Ｖ５）の層間絶縁膜
１３  配線層（Ｍ６）の層間絶縁膜
１４  ビア層（Ｖ６）の層間絶縁膜
１５  配線層（Ｍ７）の層間絶縁膜
１６  ビア層（Ｖ７）の層間絶縁膜
１７  配線層（Ｍ８）の層間絶縁膜
１８  金属配線
１９  ビアプラグ
２０  コンタクトプラグ
２１  金属配線
２２  金属配線
２３  金属配線
２４  金属配線
【図１】
2004269693.tif 000008